(57)【特許請求の範囲】
【請求項１】
設定サイクルに従ったタイミングの到来を検出するタイミング検出部と、
基地局と共有している共有条件が満たされるか否かを判断する条件判断部と、
前記共有条件に関する情報を受信する受信部と、
前記共有条件に関する情報にページング周期の拡張の実行を示すフラグ情報が含まれる場合、前記タイミング検出部に前記タイミングの到来が検出され、かつ、前記条件判断部により前記共有条件が満たされると判断された場合に、ページングの受信を制御する通信制御部と、
を備え、
前記設定サイクルは、通信端末に対して個別に割当てられた端末間欠受信用サイクル、または前記基地局のセル内の通信端末に共通に割り当てられたセル共通間欠受信用サイクルであり、前記端末間欠受信用サイクルおよび前記セル共通間欠受信用サイクルはいずれもシステムフレームの周期よりも短く、
前記タイミング検出部に前記タイミングの到来が検出され、かつ、前記条件判断部により前記共有条件が満たされると判断されるタイミングの周期は、前記システムフレームの周期よりも長い第１の周期となり、
前記第１の周期は、前記端末間欠受信用サイクルまたは前記セル共通間欠受信用サイクルと、前記共有条件に関する情報に含まれる拡張パラメータと、端末ＩＤと、に基づいて決定され、
前記共有条件に関する情報にページング周期の拡張の実行を示すフラグ情報が含まれない場合、前記通信制御部は、前記端末間欠受信用サイクルまたは前記セル共通間欠受信用サイクルに基づいて決定される、前記システムフレームの周期よりも短い第２の周期でページングの受信を制御する、通信端末。
【請求項２】
前記システムフレームは１０ｍｓの長さである、請求項１に記載の通信端末。
【請求項３】
前記システムフレームの周期は、１０２４システムフレームである、請求項１に記載の通信端末。
【請求項４】
前記共有条件に関する情報は前記基地局から受信される、請求項１に記載の通信端末。
【請求項５】
前記共有条件は、複数回に分割して受信される、請求項４に記載の通信端末。
【請求項６】
設定サイクルに従ったタイミングの到来を検出することと、
基地局と共有している共有条件が満たされるか否かを判断することと、
前記共有条件に関する情報を受信することと、
前記共有条件に関する情報にページング周期の拡張の実行を示すフラグ情報が含まれる場合、前記タイミングの到来が検出され、かつ、前記共有条件が満たされると判断された場合に、ページングの受信を制御することと、
を含み、
前記設定サイクルは、通信端末に対して個別に割当てられた端末間欠受信用サイクル、または前記基地局のセル内の通信端末に共通に割り当てられたセル共通間欠受信用サイクルであり、前記端末間欠受信用サイクルおよび前記セル共通間欠受信用サイクルはいずれもシステムフレームの周期よりも短く、
前記タイミングの到来が検出され、かつ、前記共有条件が満たされると判断されるタイミングの周期は、前記システムフレームの周期よりも長い第１の周期となり、
前記第１の周期は、前記端末間欠受信用サイクルまたは前記セル共通間欠受信用サイクルと、前記共有条件に関する情報に含まれる拡張パラメータと、端末ＩＤと、に基づいて決定され、
前記共有条件に関する情報にページング周期の拡張の実行を示すフラグ情報が含まれない場合、前記端末間欠受信用サイクルまたは前記セル共通間欠受信用サイクルに基づいて決定される、前記システムフレームの周期よりも短い第２の周期でページングの受信を制御する、通信方法。
【請求項７】
設定サイクルに従ったタイミングの到来を検出するタイミング検出部と、
通信端末と共有している共有条件が満たされるか否かを判断する条件判断部と、
前記共有条件に関する情報を前記通信端末に送信する送信部と、
前記共有条件に関する情報にページング周期の拡張の実行を示すフラグ情報が含まれる場合、前記タイミング検出部に前記タイミングの到来が検出され、かつ、前記条件判断部により前記共有条件が満たされると判断された場合に、前記通信端末へのページングの送信を制御する通信制御部と、
を備え、
前記設定サイクルは、前記通信端末に対して個別に割当てられた端末間欠受信用サイクル、またはセル内の通信端末に共通に割り当てられたセル共通間欠受信用サイクルであり、前記端末間欠受信用サイクルおよび前記セル共通間欠受信用サイクルはいずれもシステムフレームの周期よりも短く、
前記タイミング検出部に前記タイミングの到来が検出され、かつ、前記条件判断部により前記共有条件が満たされると判断されるタイミングの周期は、前記システムフレームの周期よりも長い第１の周期となり、
前記共有条件に関する情報にページング周期の拡張の実行を示すフラグ情報が含まれない場合、前記通信制御部は、前記端末間欠受信用サイクルまたは前記セル共通間欠受信用サイクルに基づいて決定される、前記システムフレームの周期よりも短い第２の周期でページングの送信を制御する、基地局。
【請求項８】
設定サイクルに従ったタイミングの到来を検出することと、
通信端末と共有している共有条件が満たされるか否かを判断することと、
共有条件に関する情報を前記通信端末に送信することと、
前記共有条件に関する情報にページング周期の拡張の実行を示すフラグ情報が含まれる場合、前記タイミングの到来が検出され、かつ、前記共有条件が満たされると判断された場合に、前記通信端末へのページングの送信を制御することと、
を含み、
前記設定サイクルは、前記通信端末に対して個別に割当てられた端末間欠受信用サイクル、またはセル内の通信端末に共通に割り当てられたセル共通間欠受信用サイクルであり、前記端末間欠受信用サイクルおよび前記セル共通間欠受信用サイクルはいずれもシステムフレームの周期よりも短く、
前記タイミングの到来が検出され、かつ、前記共有条件が満たされると判断されるタイミングの周期は、前記システムフレームの周期よりも長い第１の周期となり、
前記共有条件に関する情報にページング周期の拡張の実行を示すフラグ情報が含まれない場合、前記端末間欠受信用サイクルまたは前記セル共通間欠受信用サイクルに基づいて決定される、前記システムフレームの周期よりも短い第２の周期でページングの送信を制御する、通信方法。
【請求項９】
設定サイクルに従ったタイミングの到来を検出する第１のタイミング検出部、
共有条件が満たされるか否かを判断する第１の条件判断部、
前記共有条件に関する情報を送信する送信部、および
前記共有条件に関する情報にページング周期の拡張の実行を示すフラグ情報が含まれる場合、前記第１のタイミング検出部に前記タイミングの到来が検出され、かつ、前記第１の条件判断部により前記共有条件が満たされると判断された場合に、ページングの送信を制御する第１の通信制御部、
を有する基地局と、
前記設定サイクルに従った前記タイミングの到来を検出する第２のタイミング検出部、
前記基地局と共有している前記共有条件が満たされるか否かを判断する第２の条件判断部、
前記共有条件に関する情報を受信する受信部、および、
前記共有条件に関する情報にページング周期の拡張の実行を示すフラグ情報が含まれる場合、前記第２のタイミング検出部に前記タイミングの到来が検出され、かつ、前記第２の条件判断部により前記共有条件が満たされると判断された場合に、ページングの受信を制御する第２の通信制御部、
を有する通信端末と、
を備え、
前記設定サイクルは、前記通信端末に対して個別に割当てられた端末間欠受信用サイクル、または前記基地局のセル内の通信端末に共通に割り当てられたセル共通間欠受信用サイクルであり、前記端末間欠受信用サイクルおよび前記セル共通間欠受信用サイクルはいずれもシステムフレームの周期よりも短く、
前記タイミングの到来が検出され、かつ、前記共有条件が満たされると判断されるタイミングの周期は、前記システムフレームの周期よりも長い第１の周期となり、
前記共有条件に関する情報にページング周期の拡張の実行を示すフラグ情報が含まれない場合、前記第１の通信制御部は、前記端末間欠受信用サイクルまたは前記セル共通間欠受信用サイクルに基づいて決定される、前記システムフレームの周期よりも短い第２の周期でページングの送信を制御する、通信システム。
【発明の詳細な説明】
【技術分野】
【０００１】
本開示は、通信端末、通信方法、基地局および通信システムに関する。
【背景技術】
【０００２】
現在、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）においてＬＴＥの無線通信システムの規格化が進められている。ＬＴＥによれば、リレーやキャリアアグリゲーションなどの技術を用いることにより、最大通信速度の向上やセルエッジでの品質向上を実現することができる。また、ＨｅＮｏｄｅＢ（Ｈｏｍｅ  ｅＮｏｄｅＢ）、フェムトセル基地局、携帯電話用小型基地局）やＲＨＨ（リモートラジオヘッド）など、ｅＮｏｄｅＢ（マクロセル基地局）以外の基地局の導入によりカバレッジを向上させることも検討されている。【０００３】
また、３ＧＰＰでは、ＭＴＣ（Ｍａｃｈｉｎｅ  Ｔｙｐｅ  Ｃｏｍｍｕｎｉｃａｔｉｏｎｓ）に関する議論も進められている。ＭＴＣは、一般的にＭ２Ｍ（Ｍａｃｈｉｎｅ  ｔｏ  Ｍａｃｈｉｎｅ）と同義であり、機械と機械の間の人間が直接利用しない通信を意味する。このＭＴＣは、主として、サーバと、人間が直接利用しないＭＴＣ端末との間で行われ、センサネットワークなど、散在する機器を効率的に結びつけるための重要な要素技術と考えられている。【０００４】
ＬＴＥを上記のＭＴＣに応用する場合、バッテリ交換が人手を要する高コストな作業であること、および、バッテリ交換が困難な場所にＭＴＣ端末が設置される可能性もあることから、ＭＴＣ端末のバッテリの交換頻度は出来るだけ少ないことが望まれる。【０００５】
一方、ＬＴＥのアイドルモードでは、接続モードに比べてページングサイクルを長くすることにより、端末の平均の消費電力を低減させることができると考えられている。なお、特許文献１および特許文献２には、このページング方法の改善について開示されている。
【先行技術文献】
【特許文献】
【０００６】
【特許文献１】特開２０１０−２８８２７８号公報
【特許文献２】特開２０１０−０５０９６９号公報
【発明の概要】
【発明が解決しようとする課題】
【０００７】
しかし、ＬＴＥで規定されるページングサイクルは最長でも２．５６ｓ（２５６システムフレーム）であるため、十分に消費電力を低減することが困難である。【０００８】
そこで、本開示では、ページングのための処理間隔を長期化することが可能な、新規かつ改良された通信端末、通信方法、基地局および通信システムを提案する。
【課題を解決するための手段】
【０００９】
本開示によれば、設定サイクルに従ったタイミングの到来を検出するタイミング検出部と、基地局と共有している共有条件が満たされるか否かを判断する条件判断部と、前記タイミング検出部に前記タイミングの到来が検出され、かつ、前記条件判断部により前記共有条件が満たされると判断された場合に、ページングの受信を制御する通信制御部と、を備える通信端末が提供される。【００１０】
また、本開示によれば、設定サイクルに従ったタイミングの到来を検出することと、基地局と共有している共有条件が満たされるか否かを判断することと、前記タイミングの到来が検出され、かつ、前記共有条件が満たされると判断された場合に、ページングの受信を制御することと、を含む通信方法が提供される。【００１１】
また、本開示によれば、設定サイクルに従ったタイミングの到来を検出するタイミング検出部と、通信端末と共有している共有条件が満たされるか否かを判断する条件判断部と、前記タイミング検出部に前記タイミングの到来が検出され、かつ、前記条件判断部により前記共有条件が満たされると判断された場合に、前記通信端末へのページングの送信を制御する通信制御部と、を備える基地局が提供される。【００１２】
また、本開示によれば、設定サイクルに従ったタイミングの到来を検出することと、通信端末と共有している共有条件が満たされるか否かを判断することと、前記タイミングの到来が検出され、かつ、前記共有条件が満たされると判断された場合に、前記通信端末へのページングの送信を制御することと、を含む通信方法が提供される。【００１３】
また、本開示によれば、設定サイクルに従ったタイミングの到来を検出する第１のタイミング検出部、共有条件が満たされるか否かを判断する第１の条件判断部、および前記第１のタイミング検出部に前記タイミングの到来が検出され、かつ、前記第１の条件判断部により前記共有条件が満たされると判断された場合に、ページングの送信を制御する第１の通信制御部、を有する基地局と、前記設定サイクルに従った前記タイミングの到来を検出する第２のタイミング検出部、前記基地局と共有している前記共有条件が満たされるか否かを判断する第２の条件判断部、および、前記第２のタイミング検出部に前記タイミングの到来が検出され、かつ、前記第２の条件判断部により前記共有条件が満たされると判断された場合に、ページングの受信を制御する第２の通信制御部、を有する通信端末と、を備える通信システムが提供される。
【発明の効果】
【００１４】
以上説明したように本開示によれば、ページングのための処理間隔を長期化することができる。
【図面の簡単な説明】
【００１５】
【図１】無線通信システムの構成例を示した説明図である。
【図２】ＬＴＥのフレームフォーマットを示した説明図である。
【図３】ページングの概念を示した説明図である。
【図４】本実施形態による無線通信システムの全体フローを示した説明図である。
【図５】本実施形態による基地局の構成を示した機能ブロック図である。
【図６】本実施形態によるページングタイミングの具体例を示した説明図である。
【図７】本実施形態によるＵＥの構成を示した機能ブロック図である。
【図８】本実施形態によるＵＥの動作を示したフローチャートである。
【図９】本実施形態による基地局の動作を示したフローチャートである。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてＵＥ２０Ａ、２０Ｂおよび２０Ｃのように区別する。ただし、実質的に同一の機能構成を有する複数の構成要素の各々を特に区別する必要がない場合、同一符号のみを付する。例えば、ＵＥ２０Ａ、２０Ｂおよび２０Ｃを特に区別する必要が無い場合には、単にＵＥ２０と称する。
【００１８】
また、以下に示す項目順序に従って本開示を説明する。
１．無線通信システムの概略
１−１．無線通信システムの構成
１−２．フレーム構成
１−３．ページング
１−４．ＤＲＸサイクル
１−５．ページングタイミング
１−６．本実施形態の背景
２．無線通信システムの全体フロー
３．基地局の構成
４．ＵＥの構成
５．基地局およびＵＥの動作
６．むずび
【００１９】
＜１．無線通信システムの概略＞
現在、３ＧＰＰにおいてＬＴＥの無線通信システムの規格化が進められている。本発明の実施形態は、一例としてこのＬＴＥの無線通信システムに適用することができるので、まず、ＬＴＥの無線通信システムの概略を説明する。
【００２０】
（１−１．無線通信システムの構成）
図１は、無線通信システムの構成例を示した説明図である。図１に示したように、無線通信システムは、基地局１０と、ＭＭＥ（Ｍｏｂｉｌｉｔｙ  Ｍａｎａｇｅｍｅｎｔ  Ｅｎｔｉｔｙ）１２、Ｓ−ＧＷ（Ｓｅｒｖｉｎｇ  Ｇａｔｅｗａｙ）１４、およびＰ−ＧＷ１６（Ｐａｃｋｅｔ  Ｄａｔａ  Ｎｅｔｗｏｒｋ  Ｇａｔｅｗａｙ）を含むコアネットワークと、ＵＥ（Ｕｓｅｒ  Ｅｑｕｉｐｍｅｎｔ）２０と、外部サーバ３０と、を備える。
【００２１】
本発明の実施形態は、図１に示した基地局１０およびＵＥ２０などの無線通信装置に適用することができる。なお、基地局１０は、例えば、ｅＮｏｄｅＢ、リレーノード、または家庭用小型基地局であるＨｏｍｅ  ｅＮｏｄｅＢであってもよい。また、ＵＥ２０は、携帯電話やＰＣ（Ｐｅｒｓｏｎａｌ  Ｃｏｍｐｕｔｅｒ）などの非ＭＴＣ端末であってもよいし、３ＧＰＰで議論されている、機械と機械の間の人間が直接利用しない通信であるＭＴＣに特化したＭＴＣ端末であってもよい。
【００２２】
基地局１０は、ＵＥ２０と通信する無線基地局である。図１においては１台の基地局１０のみを示しているが、実際には多数の基地局１０がコアネットワークに接続される。
【００２３】
ＭＭＥ１２は、データ通信用のセッションの設定、開放やハンドオーバーの制御を行う装置である。このＭＭＥ１２は、基地局１０とＳ１と呼ばれるインタフェースを介して接続される。
【００２４】
Ｓ−ＧＷ１４は、ユーザデータのルーティング、転送などを行う装置である。Ｐ−ＧＷ１６は、ＩＰサービスネットワークとの接続点として機能し、ＩＰサービスネットワークとの間でユーザデータを転送する。
【００２５】
ＵＥ２０は、基地局１０と無線通信を行う通信端末である。このＵＥ２０は、基地局１０とアプリケーションに応じた無線通信を行う。また、ＵＥ２０は、コアネットワークを介して外部サーバ３０と双方向通信を行う。なお、外部サーバ３０は、ＬＴＥ事業者が設置するサーバ装置であってもよいし、ＬＴＥネットワークに外部から接続するインターネット情報サービス事業者のサーバ装置であってもよい。
【００２６】
ＭＴＣ端末として動作するＵＥ２０は、一例として一般的には以下の特徴を有するが、各ＵＥ２０が以下の全ての特徴を有する必要はなく、いずれの特徴を有するかはアプリケーションに依存する。
・移動がほとんどない（Ｌｏｗ  Ｍｏｂｉｌｉｔｙ）
・小容量のデータ転送（Ｏｎｌｉｎｅ  Ｓｍａｌｌ  Ｄａｔａ  Ｔｒａｎｓｍｉｓｓｉｏｎ）
・超低消費電力（Ｅｘｔｒａ  Ｌｏｗ  Ｐｏｗｅｒ  Ｃｏｎｓｕｍｐｔｉｏｎ）
・各ＭＴＣをグルーピングしてハンドリング（Ｇｒｏｕｐ  ｂａｓｅｄ  ＭＴＣ  Ｆｅａｔｕｒｅｓ）
【００２７】
（１−２．フレーム構成）
上述の基地局１０およびＵＥ２０は、共通のフレームフォーマットに従って通信を行う。以下では、図２を参照し、このフレームフォーマットの具体例を説明する。
【００２８】
図２は、ＬＴＥのフレームフォーマットを示した説明図である。図２に示したように、１０ｍｓの無線フレームは、１０個の１ｍｓのサブフレーム＃０〜＃９から構成されている。この１０ｍｓの無線フレームの各々には、システムフレーム番号（ＳＦＮ）と呼ばれる識別番号が割り当てられ、システムフレーム番号は０から１０２３まで増加する。また、１ｍｓの各サブフレームは、２つの０．５ｍｓスロットで構成されている。さらに、各０．５ｍｓスロットは、通常、７Ｏｆｄｍシンボルで構成されている。
【００２９】
なお、Ｏｆｄｍシンボルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式の通信方式で用いられる単位であり、１回のＦＦＴ（Ｆａｓｔ  Ｆｏｕｒｉｅｒ  Ｔｒａｎｓｆｏｒｍ）で処理されたデータを出力する単位である。
【００３０】
また、図２に示した１ｍｓの各サブフレームの先頭には、ＰＤＣＣＨ（Ｐｈｙｓｉｃａｌ  ＤｏｗｎＬｉｎｋ  Ｃｏｎｔｒｏｌ  Ｃｈａｎｎｅｌ）と呼ばれる制御信号が付加される。このＰＤＣＣＨの送信ために、サブフレームの先頭の１Ｏｆｄｍシンボル〜３Ｏｆｄｍシンボルが利用される。すなわち、ＰＤＣＣＨの送信ために１Ｏｆｄｍシンボルが利用される場合もあれば、３Ｏｆｄｍシンボルが利用される場合もある。
【００３１】
なお、ＰＤＣＣＨの送信に利用される無線フレーム中の領域は制御領域と称され、ＰＤＳＣＨ（Ｐｈｙｓｉｃａｌ  ＤｏｗｎＬｉｎｋ  Ｓｈａｒｅｄ  Ｃｈａｎｎｅｌ）やＰＵＳＣＨ（Ｐｈｙｓｉｃａｌ  ＵｐＬｉｎｋ  Ｓｈａｒｅｄ  Ｃｈａｎｎｅｌ）などの送信に利用される無線フレーム中の領域はデータ領域と称される。
【００３２】
（１−３．ページング）
本実施形態は、上述した基地局１０とＵＥ２０の通信に関し、特に、基地局１０からＵＥ２０へのページングに関する。そこで、本実施形態の具体的な説明に先立ち、ＬＴＥによるページングについて説明する。
【００３３】
基地局は、アイドルモードの各ＵＥに対して、各ＵＥのＤＲＸ（Ｄｉｓｃｏｎｔｉｎｕｏｕｓ  ｒｅｓｅｐｔｉｏｎ）サイクルと呼ばれる間欠受信周期などの一定の周期に従うページングタイミングで、各ＵＥを呼び出すためのページングメッセージを送信する。すなわち、基地局は、各ＵＥのＤＲＸサイクルに相当するページングサイクルでページングメッセージを送信する。このように、ページングメッセージの送信によりＵＥを呼び出すための呼び出し手続きがページングである。一方、アイドルモードのＵＥは、ＤＲＸサイクルに従うページングタイミングでページングメッセージが送信されていないかを確認し、ページングタイミング以外の期間では、電池消耗を極力小さくするために、主だった回路の電源を切りパワーセーブを行う。
【００３４】
図３は、ページングの概念を示した説明図である。図３に示したように、ＵＥは、ＤＲＸサイクルに従うページングタイミング８２、８４、および８６でページングメッセージが送信されていないかを確認する。ここで、ページングタイミング８２および８４ではページングメッセージが送信されていないので、ＵＥはページングメッセージを受信しない。
【００３５】
一方、基地局は、ＭＭＥからのＳ１ＡＰページングメッセージを受信した直後のＤＲＸサイクルに従うページングタイミング８６でページングメッセージ（ＲＲＣページングメッセージ）を送信する（Ｓ９２、Ｓ９４）。このため、ＵＥは、ページングタイミング８６でページングメッセージを受信することができる。
【００３６】
より詳細には、ＵＥは、ページングタイミングにおいて、ページング用のＰ−ＲＮＴＩ（Ｒａｄｉｏ  Ｎｅｔｗｏｒｋ  Ｔｅｍｐｏｒａｒｙ  Ｉｄｅｎｔｉｆｙ）として固定値（ＦＦＦＥ）を用い、ＰＤＣＣＨにページングメッセージの存在を示す情報があるか否かをモニターする。そして、ページングタイミングにおいてＰ−ＲＮＴＩとして固定値（ＦＦＦＥ）が検出された場合、ＵＥは、引き続きＰＤＳＣＨで送信されるページングメッセージを解読する。ページングメッセージには、対象ＵＥの端末ＩＤ（Ｓ−ＴＭＳＩ：ＳＡＥ  Ｔｅｍｐｏｒａｒｙ  ｍｏｂｉｌｅ  ｓｕｂｓｃｒｉｂｅｒ  ｉｄｅｎｔｉｆｉｅｒ）、ネットワークドメイン情報（サーキット／パケット）、ＳＩ変更情報、ＥＴＷＳ情報などが含まれる。ＵＥは、このページングメッセージが自分宛であると認識した場合、ランダムアクセスにより基地局との接続を開始する。
【００３７】
（１−４．ＤＲＸサイクル）
以上、ページングの概要を説明した。続いて、上述したＤＲＸサイクル、およびページングタイミングについてより具体的に説明する。なお、以下では、１０ｍｓの無線フレームをシステムフレームと称する。
【００３８】
ＤＲＸサイクルには、セル内の全てのＵＥに割り当てられる共通のセル固有ＤＲＸサイクル（セル共通間欠受信用サイクル）と、ＵＥに対して個別に割り当てられるユーザ固有ＤＲＸサイクル（端末間欠受信用サイクル）が存在する。
【００３９】
セル固有ＤＲＸサイクルは、３２、６４、１２８または２５６の４通りのシステムフレーム数のいずれかの値であり、システム情報ＳＩＢ２によって２ビットの情報として報知される。なお、１システムフレーム長は１０ｍｓであるので、３２システムフレーム、６４システムフレーム、１２８システムフレームおよび２５６システムフレームは、各々３２０ｍｓ、６４０ｍｓ、１．２８ｓ、２．５６ｓに相当する。
【００４０】
同様に、ユーザ固有ＤＲＸサイクルは、３２、６４、１２８または２５６の４通りのシステムフレーム数のいずれかを示す２ビットの情報である。このユーザ固有ＤＲＸサイクルは、ＭＭＥからＳ１ＡＰページングメッセージにより基地局およびＵＥに通知される。または、ユーザ固有ＤＲＸサイクルは、ＵＥから接続要求時やトラッキングエリアの更新メッセージによりネットワーク側に通知される。
【００４１】
（１−５．ページングタイミング）
以上説明したＤＲＸサイクルに従い、ページングタイミングが決定される。例えば、３ＧＰＰ  ＴＳ３６．３０４に、ＬＴＥのページングタイミングを決定するための以下の数式が記載されている。
【００４２】
【数１】
0005967102.tif 000002
（数式１）
【００４３】
【数２】
0005967102.tif 000003
（数式２）
【００４４】
【数３】
0005967102.tif 000004
（数式３）
【００４５】
【数４】
0005967102.tif 000005
（数式４）
【００４６】
【数５】
0005967102.tif 000006
（数式５）
【００４７】
上記の数式において、ＳＦＮは０〜１０２３のいずれかの値をとるシステムフレーム番号であり、ＴはＤＲＸサイクルであり、ＵＥ＿ＩＤはＵＥのＵＳＩＭカードに格納されるＩＭＩＳの下位１０ビットであり、ｎＢはネットワークから通知されるパラメータで、４Ｔ、２Ｔ、Ｔ、Ｔ／２、Ｔ／４、Ｔ／８、Ｔ／１６、Ｔ／３２のいずれかの値をとる。
【００４８】
上記の数式１は、ＬＴＥにおけるページングを行うシステムフレーム番号を決定するアルゴリズムを示す。基地局は、この数式１に従い、ＳＦＮをＤＲＸサイクルＴで割った剰余が、右辺で求まる値と等しい場合、当該ＳＦＮでページングを行う。なお、数式３に示したように、セル固有ＤＲＸサイクル（Ｔｃ）とユーザ固有ＤＲＸサイクル（ＴＵＥ）の小さい方がＤＲＸサイクルＴとして用いられる。ユーザ固有ＤＲＸサイクルＴＵＥが割り当てられていない場合、セル固有ＤＲＸサイクルＴｃがＤＲＸサイクルＴとして用いられる。
【００４９】
ここで、数式１の右辺はＵＥのＩＭＩＳを用いた演算を含むので、各ＵＥのページングタイミングは、一様に分布するランダムなタイミングとなる。なお、数式２は、数式１に従って決定されるシステムフレームのうちでページングを行うサブフレームを決定するためのアルゴリズムである。数式２においても同様にＩＭＩＳを用いた演算が含まれるので、ページングが行われるサブフレームもランダム化される。
【００５０】
（１−６．本実施形態の背景）
ところで、ＬＴＥを上記のＭＴＣに応用する場合、バッテリ交換が人手を要する高コストな作業であること、および、バッテリ交換が困難な場所にＭＴＣ端末が設置される可能性もあることから、ＭＴＣ端末のバッテリの交換頻度は出来るだけ少ないことが望まれる。このために、アイドルモード時のＤＲＸサイクルを長くすることが考えられるが、システムフレームの周期（１０２４システムフレーム）を超える長周期のＤＲＸサイクルを実現することは、困難であった。以下、その理由を説明する。
【００５１】
上述したように、アイドルモード時のＤＲＸサイクルは、３２、６４、１２８または２５６システムフレームである。このため、ＤＲＸサイクルは、最長でも２．５６ｓである。仮により長いＤＲＸサイクルの選択肢があった場合でも、数式１を参照して説明したページングタイミングの決定アルゴリズムでは、ＤＲＸサイクルはシステムフレームの周期である１０２４システムフレーム（１０．２４ｓ）未満に制限される。しかし、将来のＭＴＣのためのＤＲＸサイクルとしてより長い周期が望まれることも想定される。例えば、電池の寿命を重要視するアプリケーションでは、ＤＲＸサイクルは３０秒、１分あるいはそれ以上の周期であることが望まれることも考えられる。
【００５２】
この点について、システムフレームの周期を１０２４システムフレームよりも長くすることによりＤＲＸサイクルの長期化を図る方法も考えられるが、この方法は、システム全体に影響を与えるので、従来の端末との互換性を考慮すると最適解ではない。
【００５３】
また、ＤＲＸサイクルを指定するシステムパラメータとして、上述したように、セル固有ＤＲＸサイクルＴｃとユーザ固有ＤＲＸサイクルＴＵＥが存在する。しかし、数式３に示したように、ページングタイミングの決定アルゴリズムでは、セル固有ＤＲＸサイクルとユーザ固有ＤＲＸサイクルＴＵＥの小さい方がＤＲＸサイクルＴｃとして採用される。したがって、ユーザ固有ＤＲＸサイクルＴＵＥをセル固有ＤＲＸサイクルＴｃより長くしても、ＤＲＸサイクルの長期化を実現することは難しい。
【００５４】
一方、セル固有ＤＲＸサイクルＴｃとユーザ固有ＤＲＸサイクルＴＵＥの双方を長くすれば、ＤＲＸサイクルを長期化できるが、セル内の全てのＵＥのＤＲＸサイクルが影響を受けてしまう。例えば、ＥＴＷＳ（地震／津波警報システム）の通知はページングメッセージに含まれるので、セル固有ＤＲＸサイクルＴｃとユーザ固有ＤＲＸサイクルＴＵＥの双方を長くすると、ＥＴＷＳが適正に動作しなくなってしまう。
【００５５】
また、数式１を参照して説明したページングタイミングの決定アルゴリズムにより、各ＵＥのページングタイミングは、一様に分布するランダムなタイミングとなるので、ページングのために用いられる無線リソースの集中を回避することができる。これは、ＤＲＸサイクルが最長でも２．５６ｓである場合は好ましいと考えられるが、ＤＲＸサイクルを長期化した場合、長周期の範囲内にページングタイミングが分散してしまう。その結果、意図したタイミングから大きく離れたタイミングでページングが行われることが懸念される。
【００５６】
他の観点では、ユーザ固有ＤＲＸサイクルＴＵＥは、ＵＥの起動時に行われる接続要求（アタッチリクエスト）、またはトラッキングエリアの更新（トラッキングエリアアップデート）時のいずれかのタイミングでＵＥから通知される。しかし、ＭＴＣ端末として動作するＵＥは移動性が低い場合もある。また、ユーザ固有ＤＲＸサイクルＴＵＥの通知は任意のタイミングで行われることが想定される処理ではない。このため、ユーザ固有ＤＲＸサイクルＴＵＥがネットワークに通知される頻度は低くなることが想定される。
【００５７】
そこで、上記事情を一着眼点にして本実施形態を創作するに至った。本実施形態によれば、ページングのための処理間隔をＵＥごとに個別にシステムフレームの周期を超えて長期化することが可能である。以下、このような本実施形態による全体フロー、基地局１０の構成およびＵＥ２０の構成などについて順次詳細に説明する。
【００５８】
＜２．無線通信システムの全体フロー＞
図４は、本実施形態による無線通信システムの全体フローを示した説明図である。図４に示したように、まず、ＵＥ２０が接続モードで動作している間に、外部サーバ３０が、Ｐ−ＧＷ１６、Ｓ−ＧＷ１４および基地局１０を介して、ＵＥ２０にページング指示情報を送信する（Ｓ３１０、Ｓ３１２、Ｓ３１４、Ｓ３１６）。
【００５９】
ページング指示情報は、ページングタイミングの決定法に関する情報を含む。例えば、ページング指示情報は、ユーザ固有ＤＲＸサイクルＴＵＥ、本実施形態によるページングタイミングの決定法を行うか否かを示すフラグ情報、拡張パラメータＫ、およびページングに失敗した場合に用いる再ページングに関する情報を含む。ただし、上述したページングタイミングの決定法に関する情報の一部または全部はＵＥ２０のＳＩＭカードのような記憶媒体に保存されていてもよい。この場合、ページング指示情報は、ＵＥ２０の記憶媒体に保存されている情報をページングタイミングの決定のために利用することを指示する情報を含んでもよい。
【００６０】
また、上記のフラグ情報は、ＦＧＩ（Ｆｅａｔｕｒｅ  Ｇｒｏｕｐ  Ｉｎｄｉｃａｔｏｒ）情報であってもよい。ＦＧＩ情報は、一般に、ＵＥ２０がネットワークにＵＥ２０の特定の機能の使用可否を示すためのビット情報列として用いられる。拡張パラメータＫは、詳細については「３．基地局の構成」以降で説明するように、ページングのための処理間隔を長期化するためのパラメータである。なお、上述したページング指示情報の通知は複数回に分割して行われてもよい。
【００６１】
続いて、ＵＥ２０は、外部サーバ３０から受信したページング指示情報を、基地局１０およびＭＭＥ１２に通知する（Ｓ３２０、Ｓ３２２）。これにより、ページング指示情報をＵＥ２０と基地局１０およびＭＭＥ１２を含むネットワーク側で共有することができる。なお、ＵＥ２０は、ＵＥ２０の記憶媒体にページングタイミングの決定法に関する情報が保存されている場合、外部サーバ３０から受信したページング指示情報と記憶媒体に保存されている情報と比較し、記憶媒体に保存されている情報を適宜更新してもよい。
【００６２】
そして、ＵＥ２０がアイドルモードに遷移した後、接続モード時に共有されたページング指示情報を用いて、システムフレームの周期よりも長い周期でページングが行われる（Ｓ３３０、Ｓ３３２、Ｓ３３４、Ｓ３３６、Ｓ３３８）。
【００６３】
＜３．基地局の構成＞
以上、本実施形態による無線通信システムの全体フローを説明した。続いて、図５を参照し、本実施形態による基地局１０の構成を説明する。
【００６４】
図５は、本実施形態による基地局１０の構成を示した機能ブロック図である。図５に示したように、アンテナ１１６と、アンテナ共用器１１８と、受信回路１２０と、送信回路１２２と、受信データ処理部１３２と、インタフェース１３３と、送信データ処理部１３８と、上位レイヤ１４０と、制御部１５０と、記憶部１６０と、を備える。
【００６５】
アンテナ１１６は、ＵＥ２０から無線信号を受信し、無線信号を電気的な受信信号に変換する。受信時には、アンテナ１１６と受信回路１２０がアンテナ共用器１１８を介して接続されるので、アンテナ１１６により得られた受信信号は受信回路１２０に供給される。
【００６６】
また、送信時には、アンテナ１１６と送信回路１２２がアンテナ共用器１１８を介して接続されるので、アンテナ１１６に送信回路１２２から送信信号が供給される。アンテナ１１６は、この送信信号を無線信号としてＵＥ２０に送信する。
【００６７】
なお、図５においては、説明の便宜上、１つのアンテナのみを示しているが、基地局１０は複数のアンテナを備えてもよい。基地局１０は、複数のアンテナを備える場合、ＭＩＭＯ（Ｍｕｌｔｉｐｌｅ  Ｉｎｐｕｔ  Ｍｕｌｔｉｐｌｅ  Ｏｕｔｐｕｔ）通信やダイバーシティ通信などを行うことができる。
【００６８】
受信回路１２０は、アンテナ１１６から供給される受信信号の復調処理および復号処理などを行い、処理後の受信データを受信データ処理部１３２に供給する。このように、受信回路１２０は、アンテナ１１６と協働して受信部として機能する。
【００６９】
送信回路１２２は、制御部１５０から供給される制御信号（ＰＤＣＣＨ、ＢＣＨなど）および送信データ処理部１３８から供給されるデータ信号（ＰＤＳＣＨ）の変調処理などを行い、処理後の送信信号をアンテナ１１６に供給する。このように、送信回路１２２は、アンテナ１１６と協働して送信部として機能する。
【００７０】
受信データ処理部１３２は、受信回路１２０から供給される受信データを解析し、上位レイヤ１４０用の受信データはインタフェース１３３に供給する。一方、ＵＥ２０から受信されたページング指示情報は制御部１５０に供給され、記憶部１６０に記憶される。
【００７１】
インタフェース１３３は、上位レイヤ１４０とのインタフェースである。受信データはインタフェース１３３から上位レイヤ１４０へ出力され、送信データは上位レイヤ１４０からインタフェース１３３へ入力される。
【００７２】
送信データ処理部１３８は、インタフェース１３３から供給されるデータに基づいてデータ信号を生成し、送信回路１２２に供給する。
【００７３】
制御部１５０は、通信制御部１５２、タイミング検出部１５４、カウンタ１５６および条件判断部１５８を含む。記憶部１６０は、ページング指示情報を記憶し、制御部１５０は、記憶部１６０に記憶されたページング指示情報を用いて基地局１０の動作全般を制御する。
【００７４】
（タイミング検出部）
タイミング検出部１５４は、対象のＵＥ２０に関して、ページング指示情報に含まれるユーザ固有ＤＲＸサイクルＴＵＥに従って到来するページング候補タイミングを検出する。例えば、タイミング検出部１５４は、下記数式６に従ってページング候補タイミングを検出してもよい。
【００７５】
【数６】
0005967102.tif 000007
（数式６）
【００７６】
タイミング検出部１５４は、この数式６に従い、ＳＦＮをユーザ固有ＤＲＸサイクルＴＵＥで割った剰余が、右辺で求まる値と等しい場合、当該ＳＦＮをページング候補タイミングとして検出する。なお、数式６ではＳＦＮをユーザ固有ＤＲＸサイクルＴＵＥで割る例を示したが、ページングタイミングの検出方法はかかる例に限定されない。例えば、タイミング検出部１５４は、ユーザ固有ＤＲＸサイクルＴＵＥに代えて、セル固有ＤＲＸサイクルＴｃを用いてもよいし、数式３に示したように、セル固有ＤＲＸサイクルＴｃとユーザ固有ＤＲＸサイクルＵＥの小さい方を用いてもよい。
【００７７】
（カウンタ）
カウンタ１５６は、所定周期の経過をカウントする。例えば、カウンタ１５６は、「０」からカウントを開始し、ユーザ固有ＤＲＸサイクルＴＵＥが経過する度にカウント値ｉをインクリメントし、カウント値ｉがページング指示情報に含まれる拡張パラメータＫに達するとカウント値ｉを「０」にリセットする。なお、上記では所定周期としてユーザ固有ＤＲＸサイクルＴＵＥを用いる例を説明したが、所定周期は、セル固有ＤＲＸサイクルＴｃであってもよいし、ユーザ固有ＤＲＸサイクルＴＵＥやセル固有ＤＲＸサイクルＴｃと関連性の無い周期であってもよい。
【００７８】
（条件判断部）
条件判断部１５８は、ページングに関してＵＥ２０と共有している共有条件が満たされるか否かを判断する。例えば、条件判断部１５８は、カウンタ１５６によるカウント値ｉがＵＥ２０と共有している設定値ｘと等しい場合に共有条件が満たされると判断する。ここで、設定値ｘは、一例として以下の数式７のように表現される。なお、設定値ｘは、数式７に示す値に限定されない。例えば、設定値ｘは、外部サーバ３０から直接的に指定された値であってもよい。
【００７９】
【数７】
0005967102.tif 000008
（数式７）
【００８０】
（通信制御部）
通信制御部１５２は、タイミング検出部１５４によりページング候補タイミングが検出され、かつ、条件判断部１５８によりカウンタ１５６のカウント値が設定値ｘと等しいと判断された場合、ＵＥ２０へのページングの送信を制御する。かかる構成によれば、ページングタイミングの周期を、例えば固有ＤＲＸサイクルＴＵＥと拡張パラメータＫの乗算値に拡張することができる。以下、図６を参照してより具体的に説明する。
【００８１】
図６は、本実施形態によるページングタイミングの具体例を示した説明図である。なお、図６においては、ユーザ固有ＤＲＸサイクルＴＵＥが１２８（システムフレーム）であり、拡張パラメータＫが４７であり、設定値ｘが１である例を示している。
【００８２】
ユーザ固有ＤＲＸサイクルＴＵＥが１２８である場合、図６に示したＳＦＮ「１」、「１２９」、「２５７」のように、１２８システムフレーム間隔でページング候補タイミングが到来する。なお、このページング候補タイミングは、通常のページングタイミングに相当するが、本実施形態においては、全てのページング候補タイミングでページングが行われるわけではない。
【００８３】
すなわち、通信制御部１５２は、ページング候補タイミングのうち、カウンタ１５６のカウント値ｉが設定値ｘと等しい場合にページングを行う。例えば、図６に示したように、ページング候補タイミングであるＳＦＮ「１」では、カウント値ｉが「０」であり、設定値ｘ「１」と異なるので、通信制御部１５２はページングを行わない。一方、ページング候補タイミングであるＳＦＮ「１２９」では、カウント値ｉが「１」であり、設定値ｘ「１」と等しいので、通信制御部１５２はページングを行う。その後、通信制御部１５２は、カウント値ｉが「４６」に達し、「０」にリセットされ、再度「１」になるまでページングを行わず、カウント値ｉが「１」になると、ページング候補タイミングにおいてページングを行う。
【００８４】
すなわち、ユーザ固有ＤＲＸサイクルＴＵＥが１２８（システムフレーム）であり、拡張パラメータＫが４７である場合、ページングタイミングの間隔を、ＴＵＥとＫの乗算値である６０１６システムフレーム（約１分）に拡張することができる。
【００８５】
以上説明したように、本実施形態による基地局１０は、ページングタイミングの間隔を長期化することができる。その結果、ＵＥ２０における消費電力を低減することが可能である。
【００８６】
なお、通信制御部１５２は、サブフレームのページングタイミングは数式２に従って決定してもよいし、別途外部サーバ３０から指示される方法に従って決定してもよい。また、ＵＥ２０へのページングが失敗した場合、ページング指示情報に含まれる再ページングに関する情報に基づいて再度ページングを行ってもよい。
【００８７】
＜４．ＵＥの構成＞
以上、本実施形態による基地局１０の構成を説明した。続いて、図７を参照し、本実施形態によるＵＥ２０の構成を説明する。
【００８８】
図７は、本実施形態によるＵＥ２０の構成を示した機能ブロック図である。図７に示したように、本実施形態によるＵＥ２０は、アンテナ２１６と、アンテナ共用器２１８と、受信回路２２０と、送信回路２２２と、受信データ処理部２３２と、インタフェース２３３と、送信データ処理部２３８と、上位レイヤ２４０と、制御部２５０と、記憶部２６０と、を備える。
【００８９】
アンテナ２１６は、基地局１０から無線信号を受信し、無線信号を電気的な受信信号に変換する。受信時には、アンテナ２１６と受信回路２２０がアンテナ共用器２１８を介して接続されるので、アンテナ２１６により得られた受信信号は受信回路２２０に供給される。
【００９０】
また、送信時には、アンテナ２１６と送信回路２２２がアンテナ共用器２１８を介して接続されるので、アンテナ２１６に送信回路２２２から送信信号が供給される。アンテナ２１６は、この送信信号を無線信号として基地局１０に送信する。
【００９１】
なお、図７においては、説明の便宜上、１つのアンテナのみを示しているが、ＵＥ２０は複数のアンテナを備えてもよい。ＵＥ２０は、複数のアンテナを備える場合、ＭＩＭＯ通信やダイバーシティ通信などを行うことができる。
【００９２】
受信回路２２０は、アンテナ２１６から供給される受信信号の復調処理および復号処理などを行い、処理後の受信データを受信データ処理部２３２に供給する。このように、受信回路２２０は、アンテナ２１６と協働して受信部として機能する。
【００９３】
送信回路２２２は、制御部２５０から供給される制御信号および送信データ処理部２３８から供給されるデータ信号などの変調処理などを行い、処理後の送信信号をアンテナ２１６に供給する。このように、送信回路２２２は、アンテナ２１６と協働して送信部として機能する。
【００９４】
受信データ処理部２３２は、受信回路２２０から供給される受信データを解析し、上位レイヤ用の受信データはインタフェース２３３に供給する。一方、外部サーバ３０から受信されたページング指示情報は制御部２５０に供給され、記憶部２６０に記憶される。
【００９５】
インタフェース２３３は、上位レイヤ２４０とのインタフェースである。受信データはインタフェース２３３から上位レイヤ２４０へ出力され、送信データは上位レイヤ２４０からインタフェース２３３へ入力される。
【００９６】
上位レイヤ２４０は、ＵＥ２０に応じたアプリケーションを実行するための機能部である。なお、アプリケーションとしては、「Ｍｅｔｅｒｉｎｇ」や「Ｈｅａｌｔｈ」などが挙げられる。アプリケーションが「Ｍｅｔｅｒｉｎｇ」である場合、送信データとしては、水道や電気の使用量を示すデータが想定される。また、アプリケーションが「Ｈｅａｌｔｈ」である場合、送信データとしては、患者の現在の身体状態を示すデータが想定される。
【００９７】
送信データ処理部２３８は、インタフェース１３３から供給されるデータに基づいてデータ信号を生成し、送信回路２２２に供給する。
【００９８】
制御部２５０は、通信制御部２５２、タイミング検出部２５４、カウンタ２５６および条件判断部２５８を含む。記憶部２６０は、ページング指示情報を記憶し、制御部２５０は、記憶部２６０に記憶されたページング指示情報を用いて基地局１０の動作全般を制御する。
【００９９】
（タイミング検出部）
タイミング検出部２５４は、ページング指示情報に含まれるユーザ固有ＤＲＸサイクルＴＵＥに従って到来するページング候補タイミングを検出する。例えば、タイミング検出部２５４は、上述した数式６に従い、ＳＦＮをユーザ固有ＤＲＸサイクルＴＵＥで割った剰余が、右辺で求まる値と等しい場合、当該ＳＦＮをページング候補タイミングとして検出する。
【０１００】
（カウンタ）
カウンタ２５６は、所定周期の経過をカウントする。例えば、カウンタ２５６は、「０」からカウントを開始し、ユーザ固有ＤＲＸサイクルＴＵＥが経過する度にカウント値ｉをインクリメントし、カウント値ｉがページング指示情報に含まれる拡張パラメータＫに達するとカウント値ｉを「０」にリセットする。なお、上記では所定周期としてユーザ固有ＤＲＸサイクルＴＵＥを用いる例を説明したが、所定周期は、セル固有ＤＲＸサイクルＴｃであってもよいし、ユーザ固有ＤＲＸサイクルＴＵＥやセル固有ＤＲＸサイクルＴｃと関連性の無い周期であってもよい。
【０１０１】
（条件判断部）
条件判断部２５８は、ページングに関して基地局１０と共有している共有条件が満たされるか否かを判断する。例えば、条件判断部２５８は、カウンタ２５６によるカウント値ｉが基地局１０と共有している設定値ｘと等しい場合に共有条件が満たされると判断する。ここで、設定値ｘは、一例として上述した数式７のように表現される。
【０１０２】
（通信制御部）
通信制御部２５２は、タイミング検出部２５４によりページング候補タイミングが検出され、かつ、条件判断部２５８によりカウンタ２５６のカウント値が設定値ｘと等しいと判断された場合、ページングの受信を制御する。かかる構成によれば、ページングタイミングの周期を、例えば固有ＤＲＸサイクルＴＵＥと拡張パラメータＫの乗算値に拡張することができる。その結果、ＵＥ２０における消費電力を低減することが可能である。なお、通信制御部２５２の機能は、基地局１０の通信制御部１５２の機能と共通する部分が多いので、ここでの詳細な説明を省略する。
【０１０３】
＜５．基地局およびＵＥの動作＞
以上、本実施形態による基地局１０およびＵＥ２０の構成を説明した。続いて、図８および図９を参照し、本実施形態による基地局１０およびＵＥ２０の動作を整理する。
【０１０４】
（ＵＥ２０の動作）
図８は、本実施形態によるＵＥ２０の動作を示したフローチャートである。図８に示したように、ＵＥ２０は、接続モード時に、外部サーバ３０から受信したページング指示情報を基地局１０に送信する（Ｓ４０４）。その後、ＵＥ２０がアイドルモードに遷移すると（Ｓ４０８）、カウンタ２５６はカウント値ｉを初期化する（Ｓ４１２）。なお、カウント値ｉの初期化タイミングに関する情報はページング指示情報に含まれてもよいし、基地局１０と初期化タイミングを調整する処理が別途行われてもよい。
【０１０５】
続いて、条件判断部２５８が、カウンタ２５６のカウント値ｉを認識し（Ｓ４１６）、カウント値ｉが数式７に示す設定値ｘと等しいか否かを判断する（Ｓ４２０）。カウント値ｉが設定値ｘと等しい場合にはＳ４２４の処理に進み、カウント値ｉが設定値ｘと異なる場合にはＳ４２８の処理に進む。
【０１０６】
そして、通信制御部２５２は、カウント値ｉが設定値ｘと等しいと判断された場合、タイミング検出部２５４により検出された数式６を満たすＳＦＮの所定のサブフレームでページングの受信処理を実行する（Ｓ４２４）。
【０１０７】
その後、カウント値ｉの初期化、または前回の更新からユーザ固有ＤＲＸサイクルＴＵＥが経過し（Ｓ４２８）、カウント値ｉが「Ｋ−１」でない場合（Ｓ４３２）、カウンタ２５６はカウント値ｉをインクリメントする。一方、カウント値ｉの初期化、または前回の更新からユーザ固有ＤＲＸサイクルＴＵＥが経過し（Ｓ４２８）、カウント値ｉが「Ｋ−１」である場合（Ｓ４３２）、カウンタ２５６はカウント値ｉを「０」に初期化する（Ｓ４４０）。そして、Ｓ４３６またはＳ４４０の処理の後、Ｓ４１６からの処理が繰り返される。
【０１０８】
（基地局の動作）
図９は、本実施形態による基地局１０の動作を示したフローチャートである。図９に示したように、基地局１０は、ＵＥ２０が接続モードである間に、ＵＥ２０からページング指示情報を受信する（Ｓ５０４）。その後、ＵＥ２０がアイドルモードに遷移すると（Ｓ５０８）、カウンタ１５６はカウント値ｉを初期化する（Ｓ５１２）。なお、カウント値ｉの初期化タイミングに関する情報はページング指示情報に含まれてもよいし、ＵＥ２０と初期化タイミングを調整する処理が別途行われてもよい。
【０１０９】
続いて、条件判断部１５８が、カウンタ１５６のカウント値ｉを認識し（Ｓ５１６）、カウント値ｉが数式７に示す設定値ｘと等しいか否かを判断する（Ｓ５２０）。カウント値ｉが設定値ｘと等しい場合にはＳ５２４の処理に進み、カウント値ｉが設定値ｘと異なる場合にはＳ５２８の処理に進む。
【０１１０】
そして、通信制御部１５２は、カウント値ｉが設定値ｘと等しいと判断された場合、タイミング検出部１５４により検出された数式６を満たすＳＦＮの所定のサブフレームでページングの受信処理を実行する（Ｓ５２４）。
【０１１１】
その後、カウント値ｉの初期化、または前回の更新からユーザ固有ＤＲＸサイクルＴＵＥが経過し（Ｓ５２８）、カウント値ｉが「Ｋ−１」でない場合（Ｓ５３２）、カウンタ１５６はカウント値ｉをインクリメントする。一方、カウント値ｉの初期化、または前回の更新からユーザ固有ＤＲＸサイクルＴＵＥが経過し（Ｓ５２８）、カウント値ｉが「Ｋ−１」である場合（Ｓ５３２）、カウンタ１５６はカウント値ｉを「０」に初期化する（Ｓ５４０）。そして、Ｓ５３６またはＳ５４０の処理の後、Ｓ５１６からの処理が繰り返される。
【０１１２】
＜６．むずび＞
以上説明したように、本実施形態によれば、従来の端末との互換性を保ちつつ、ページングタイミングの間隔を長期化することができる。その結果、ＵＥ２０における消費電力を低減することが可能である。
【０１１３】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１４】
例えば、本明細書の基地局１０およびＵＥ２０の処理における各ステップは、必ずしもシーケンス図またはフローチャートとして記載された順序に沿って時系列に処理する必要はない。例えば、基地局１０およびＵＥ２０の処理における各ステップは、フローチャートとして記載した順序と異なる順序で処理されても、並列的に処理されてもよい。
【０１１５】
また、基地局１０およびＵＥ２０に内蔵されるＣＰＵ、ＲＯＭおよびＲＡＭなどのハードウェアを、上述した基地局１０およびＵＥ２０の各構成と同等の機能を発揮させるためのコンピュータプログラムも作成可能である。また、該コンピュータプログラムを記憶させた記憶媒体も提供される。
【０１１６】
また、以下のような構成も本開示の技術的範囲に属する。
（１）
設定サイクルに従ったタイミングの到来を検出するタイミング検出部と、
基地局と共有している共有条件が満たされるか否かを判断する条件判断部と、
前記タイミング検出部に前記タイミングの到来が検出され、かつ、前記条件判断部により前記共有条件が満たされると判断された場合に、ページングの受信を制御する通信制御部と、
を備える、通信端末。
（２）
前記通信端末は、所定周期の経過をカウントするカウンタをさらに備え、
前記条件判断部は、前記カウンタによるカウント値が前記基地局と共有している設定値と等しい場合に前記共有条件が満たされると判断する、前記（１）に記載の通信端末。
（３）
前記所定周期は前記設定サイクルである、前記（２）に記載の通信端末。
（４）
前記カウンタは、前記カウント値が前記設定値に達した場合に前記カウント値を初期化する、前記（２）または（３）に記載の通信端末。
（５）
前記設定値は、外部サーバから前記基地局を介して前記通信端末に通知される、前記（２）〜（４）のいずれか一項に記載の通信端末。
（６）
前記設定サイクルは、前記通信端末に対して個別に割り当てられた端末間欠受信用サイクル、または前記基地局のセル内の通信端末に共通に割り当てられたセル共通間欠受信用サイクルである、前記（１）〜（５）のいずれか一項に記載の通信端末。
（７）
設定サイクルに従ったタイミングの到来を検出することと、
基地局と共有している共有条件が満たされるか否かを判断することと、
前記タイミングの到来が検出され、かつ、前記共有条件が満たされると判断された場合に、ページングの受信を制御することと、
を含む、通信方法。
（８）
設定サイクルに従ったタイミングの到来を検出するタイミング検出部と、
通信端末と共有している共有条件が満たされるか否かを判断する条件判断部と、
前記タイミング検出部に前記タイミングの到来が検出され、かつ、前記条件判断部により前記共有条件が満たされると判断された場合に、前記通信端末へのページングの送信を制御する通信制御部と、
を備える、基地局。
（９）
設定サイクルに従ったタイミングの到来を検出することと、
通信端末と共有している共有条件が満たされるか否かを判断することと、
前記タイミングの到来が検出され、かつ、前記共有条件が満たされると判断された場合に、前記通信端末へのページングの送信を制御することと、
を含む、通信方法。
（１０）
設定サイクルに従ったタイミングの到来を検出する第１のタイミング検出部、
共有条件が満たされるか否かを判断する第１の条件判断部、および
前記第１のタイミング検出部に前記タイミングの到来が検出され、かつ、前記第１の条件判断部により前記共有条件が満たされると判断された場合に、ページングの送信を制御する第１の通信制御部、
を有する基地局と、
前記設定サイクルに従った前記タイミングの到来を検出する第２のタイミング検出部、
前記基地局と共有している前記共有条件が満たされるか否かを判断する第２の条件判断部、および、
前記第２のタイミング検出部に前記タイミングの到来が検出され、かつ、前記第２の条件判断部により前記共有条件が満たされると判断された場合に、ページングの受信を制御する第２の通信制御部、
を有する通信端末と、
を備える、通信システム。
【符号の説明】
【０１１７】
１０  基地局
１２  ＭＭＥ
１４  Ｓ−ＧＷ
１６  Ｐ−ＧＷ
２０  ＵＥ
３０  外部サーバ
１５０  制御部
１５２  通信制御部
１５４  タイミング検出部
１５６  カウンタ
１５８  条件判断部
１６０  記憶部
２５０  制御部
２５２  通信制御部
２５４  タイミング検出部
２５６  カウンタ
２５８  条件判断部
２６０  記憶部
【図１】
0005967102.tif 000009
【図２】
0005967102.tif 000010
【図３】
0005967102.tif 000011
【図４】
0005967102.tif 000012
【図５】
0005967102.tif 000013
【図６】
0005967102.tif 000014
【図７】
0005967102.tif 000015
【図８】
0005967102.tif 000016
【図９】
0005967102.tif 000017